(57)【要約】【課題】生姜等の農作物の収穫作業の省力化を図り、且つ、収穫作業後の品質低下をできるだけ回避し、また、簡易でコンパクトな構成で、機体操縦性が良好な農作物収穫作業機を得る。【解決手段】歩行操縦型の走行装置１と、作物体Ｐの茎葉部ＰＬを挟持して引上げ搬送する引上げ搬送装置１５とを設け、前記引上げ搬送装置１５の後部下側に作物体Ｐの茎葉部ＰＬを切断する切断装置１６を設け、前記引上げ搬送装置１５の挟持始端箇所Ａから前記切断装置１６が茎葉部ＰＬを切断する時点の前記引上げ搬送装置１５の挟持箇所Ｂまでの作物体引上げ高さＨを、前記引上げ搬送装置１５が作用する前で地中に生育していた作物体Ｐの最終収穫物Ｅの最大深さｄより小さく設定した。【選択図】図１
2005095093.tif 000002
【特許請求の範囲】
【請求項１】
歩行操縦型の走行装置１と、作物体Ｐの茎葉部ＰＬを挟持して引上げ搬送する引上げ搬送装置１５とを設け、前記引上げ搬送装置１５の後部下側に作物体Ｐの茎葉部ＰＬを切断する切断装置１６を設け、前記引上げ搬送装置１５の挟持始端箇所Ａから前記切断装置１６が茎葉部ＰＬを切断する時点の前記引上げ搬送装置１５の挟持箇所Ｂまでの作物体引上げ高さＨを、前記引上げ搬送装置１５が作用する前で地中に生育していた作物体Ｐの最終収穫物Ｅの最大深さｄより小さく設定したことを特徴とする農作物収穫作業機。
【請求項２】
前記作物体引上げ高さＨを２〜６ｃｍに設定したことを特徴とする請求項１記載の農作物収穫作業機。
【請求項３】
前記歩行操縦型の走行装置１は、左右両側に走行回転体２，２；３，３を備えるとともに後側にエンジン４とミッションケース５と歩行操縦用の操縦ハンドル６を備え、前記引上げ搬送装置１５は、作物体Ｐの茎葉部ＰＬを挟持して引上げ搬送する左右一対の引上げ搬送ベルト１４，１４を後上がり傾斜姿勢で設けたことを特徴とする請求項１記載の農作物収穫作業機。
【請求項４】
前記引上げ搬送装置１５の引上げ搬送ベルト１４，１４は、機体平面視で左右の走行回転体２，２；３，３の間に配置するとともに、機体側面視で機体前部側から機体前後中間部付近にかけて後上がり傾斜姿勢で配置したことを特徴とする請求項３記載の農作物収穫作業機。
【請求項５】
機体後部にエンジン４を配置し、該エンジン４の前側にミッションケース５を配置し、該ミッションケース５の前部に機体前方へ後上がり姿勢で延びる左右のフレーム１９，１９を固着し、該フレーム１９，１９の上側に前記引上げ搬送装置１５を配置し、前記ミッションケース５の左右両側部に走行回転体３，３を駆動する動力を伝動する伝動部材を内装しミッションケース５の底部より下側に延設される伝動ケースを介して走行回転体３，３を装着したことを特徴とする請求項３記載の農作物収穫作業機。
【請求項６】
駆動回転される引上げ搬送装置１５によって作物体Ｐの茎葉部ＰＬを挟持して引上げ、地中に生育していた作物体Ｐの最終収穫物Ｅの底部が地表面より上方に上昇する前に切断装置１６によって茎葉部ＰＬを切断することを特徴とする農作物収穫作業方法。
【発明の詳細な説明】
【技術分野】
【０００１】
本発明は、生姜、にんにく、玉ねぎ、人参などの農作物の収穫作業機及び収穫作業方法に関するものである。
【背景技術】
【０００２】
生姜、にんにく、玉ねぎ、人参などの農作物を収穫する場合、地上にのびる茎葉部をもって上方に引抜いて地中にある最終収穫物を取り上げる。この引抜き作業は重労働である。特に、生姜を引き抜く場合には、３０ｋｇ程度の引き上げ力を要する。この引抜き作業を機械で行うものとして、従来、下記特許文献１に記載されるような、生姜等の農作物を引抜く農作物収穫作業機がある。この農作物収穫作業機は、左右にそれぞれ複数の車輪を備え後部に歩行操縦用のハンドルを備えた走行装置と、作物体の茎葉部を挟持して引抜き搬送する後上がり傾斜に設けた引抜き搬送装置とを設けた構成となっている。そして、この農作物収穫作業機は、機体前部で圃場に植生する作物体の茎葉部を引抜き搬送装置が挟持し、続いて、後上がりに搬送し、作物体の地中にある球根等を地表面より上方に上昇させて完全に引き抜く。そして、機体後部から引抜き搬送装置が挟持した作物体を圃場に排出していく。従って、当該文献の農作物収穫作業機では、球根等を地表面より上方に上昇させて完全に引き抜き、そして、機体後方に作物体を排出していくために、引抜き搬送装置が前後に長い構成になって、機体がコンパクトでない。また、球根等が地表面上に完全に引き抜かれて地上に露出した状態となるため、収穫作業機による引き抜き作業後、作物体を回収するまでに、球根等の最終収穫物が乾燥等によって品質が低下する場合がある。
【０００３】
また、下記特許文献２に記載されるような、生姜等の農作物を引抜く農作物収穫機がある。この農作物収穫機は、左右にそれぞれ３輪づつで全部で６体の車輪を備え後部に歩行操縦用のハンドルを備えた走行装置と、作物体の茎葉部を挟持して引抜き搬送する後上がり傾斜に設けた引抜き搬送装置と、該引抜き搬送装置の挟持始端部上側に作物体の茎葉部を掻き込む掻き込みホイールを上下多数段に設けた掻き込み装置及と、該掻き込み装置で掻き込んだ作物体の茎葉部を切断するカッターを上下複数段に設けた切断装置と、該切断装置で切断された茎葉部を掻き込みホイールとガイド体によって掻き込み装置の一側方に放出する茎葉放出手段を設けた構成となっている。従って、当該文献の農作物収穫作業機は、機体前部で、引抜き搬送装置の挟持始端部上側に、上記構成とした掻き込み装置と切断装置と茎葉放出手段を配置しているので、機体前部が重くなって機体の操縦が軽快に行えない。
【特許文献１】特開平２−１３１５１９号公報
【特許文献２】特開２０００−３３３５２２号公報
【発明の開示】
【発明が解決しようとする課題】
【０００４】
本発明が解決しようとする課題は、生姜等の農作物の収穫作業の省力化を図り、且つ、収穫作業後の品質低下をできるだけ回避するようにすることであり、また、簡易でコンパクトな構成で、機体操縦性が良好な農作物収穫作業機を得ることである。
【課題を解決するための手段】
【０００５】
本発明は、上記課題を解決するために、以下の技術的手段を講じたものである。
即ち、請求項１記載の発明は、歩行操縦型の走行装置１と、作物体Ｐの茎葉部ＰＬを挟持して引上げ搬送する引上げ搬送装置１５とを設け、前記引上げ搬送装置１５の後部下側に作物体Ｐの茎葉部ＰＬを切断する切断装置１６を設け、前記引上げ搬送装置１５の挟持始端箇所Ａから前記切断装置１６が茎葉部ＰＬを切断する時点の前記引上げ搬送装置１５の挟持箇所Ｂまでの作物体引上げ高さＨを、前記引上げ搬送装置１５が作用する前で地中に生育していた作物体Ｐの最終収穫物Ｅの最大深さｄより小さく設定したことを特徴とする農作物収穫作業機としたものである。
【０００６】
請求項２記載の発明は、前記作物体引上げ高さＨを２〜６ｃｍに設定したことを特徴とする請求項１記載の農作物収穫作業機としたものである。
請求項３記載の発明は、前記歩行操縦型の走行装置１は、左右両側に走行回転体２，２；３，３を備えるとともに後側にエンジン４とミッションケース５と歩行操縦用の操縦ハンドル６を備え、前記引上げ搬送装置１５は、作物体Ｐの茎葉部ＰＬを挟持して引上げ搬送する左右一対の引上げ搬送ベルト１４，１４を後上がり傾斜姿勢で設けたことを特徴とする請求項１記載の農作物収穫作業機としたものである。
【０００７】
請求項４記載の発明は、前記引上げ搬送装置１５の引上げ搬送ベルト１４，１４は、機体平面視で左右の走行回転体２，２；３，３の間に配置するとともに、機体側面視で機体前部側から機体前後中間部付近にかけて後上がり傾斜姿勢で配置したことを特徴とする請求項３記載の農作物収穫作業機としたものである。
【０００８】
請求項５記載の発明は、機体後部にエンジン４を配置し、該エンジン４の前側にミッションケース５を配置し、該ミッションケース５の前部に機体前方へ後上がり姿勢で延びる左右のフレーム１９，１９を固着し、該フレーム１９，１９の上側に前記引上げ搬送装置１５を配置し、前記ミッションケース５の左右両側部に走行回転体３，３を駆動する動力を伝動する伝動部材を内装しミッションケース５の底部より下側に延設される伝動ケースを介して走行回転体３，３を装着したことを特徴とする請求項３記載の農作物収穫作業機としたものである。
【０００９】
請求項６記載の発明は、駆動回転される引上げ搬送装置１５によって作物体Ｐの茎葉部ＰＬを挟持して引上げ、地中に生育していた作物体Ｐの最終収穫物Ｅの底部が地表面より上方に上昇する前に切断装置１６によって茎葉部ＰＬを切断することを特徴とする農作物収穫作業方法としたものである。
【００１０】
従って、この農作物収穫機は、歩行操縦型の走行装置１によって機体を前進走行させ、引上げ搬送装置１５によって作物体Ｐの茎葉部ＰＬを挟持して引上げ搬送する。設定された引上げ高さは２〜６ｃｍである。このとき土中にある作物体Ｐの最終収穫物Ｅも引上げられ、土中に張った根は引きちぎられる。そして、最終収穫物Ｅの底部が地表面より上方に上昇する前に切断装置１６によって茎葉部ＰＬが切断される。このため、最終収穫物Ｅはその上側に土等が被さった状態のままとなる。切断装置１６により切断された後の作物体Ｐの根本側部分Ｐ１は、左右のフレーム１９，１９及びミッションケース５の下方に形成された空間部Ｓを通って機体後方に通過していく。このような作業を行った後、圃場に残された作物体Ｐの根本側部分Ｐ１は、作業者によって圃場から引き抜かれて最終収穫物Ｅが回収されるが、前記作業によって一度引上げられているので、軽い力で容易且つ迅速に取り上げることができ、また、完全に引き抜かれずに最終収穫物Ｅの上側に土等が被さった状態のままで残されているので、乾燥等による品質低下が生じにくい。一方、切断装置１６によって切断されて根本側部分Ｐ１から切り離された葉先側部分Ｐ２は、引上げ搬送装置１５の後端部から排出され、作業者によって機体側方側に放出される。
【発明の効果】
【００１１】
本件発明により、生姜等の農作物の収穫作業の省力化が図れ、且つ、収穫作業後の品質低下をできるだけ回避できるものとなる。また、引上げ搬送装置を前後に短くできて、簡易でコンパクトな構成で、機体操縦性が良好な農作物収穫作業機を得ることができる。
【発明を実施するための最良の形態】
【００１２】
発明を実施するための最良の形態の一つとして、生姜の作物体引上げ機を図示するとともに、以下に詳細に説明する。
【実施例１】
【００１３】
本発明の一実施例として、農作物である生姜を圃場から引上げ作業する作物体引上げ機を、以下に詳細に説明する。
この作物体引上げ機は、図に示すように、走行装置１と、作物体Ｐの引上げ作業を行う作業部Ｗとを設けたもので、走行装置１は機体を機体前方となる進行方向Ｄに向って前進走行させ、その走行中に作業部Ｗが作物体Ｐの引上げ作業を行っていく。これにより、この作物体引上げ機は、機体進行方向Ｄにそって列状に並ぶ作物体Ｐを機械的に且つ連続的に引抜いていくことになる。
【００１４】
走行装置１は、左右両側に、走行回転体、即ち、自由回転する前輪２，２と駆動回転する後輪３，３を備え、後側に、エンジン４と、該エンジン４の動力を受けて後輪３，３と作業部Ｗに動力を変速伝動する変速伝動機構を内装したミッションケース５と、歩行操縦用の操縦ハンドル６を備えた歩行操縦型で四輪構成の走行装置で、これにより機体が自走するよう構成している。左右の前輪２，２及び後輪３，３は、作業時に、圃場に形成された畝Ｕを跨いで畝両側の谷部分を走行する。後輪３，３は、機体後部に配置されたエンジン４から動力が伝動されて駆動回転する。具体的には、エンジン４の動力が、エンジン４の前側に配置されエンジン４に連結するミッションケース５内の変速伝動機構に伝動し、該変速伝動機構を経てミッションケース５の左右両側部に装着した車輪伝動ケース７，７内の伝動機構に伝動し、該車輪伝動ケース７，７の下部の左右方向外側方に突出する後輪車軸８，８に伝動して該車軸８，８に取り付けている前記後輪３，３が駆動回転する構成としている。
【００１５】
また、機体の操縦部として歩行型の操縦ハンドル６をその左右のグリップ部９，９が機体後端上側に位置するように機体後部に設けている。操縦ハンドル６のグリップ部９，９から前側に延びる左右のハンドルフレーム１０，１０は下方に屈曲してミッションケース５の左右両側部に固着している。また、操縦ハンドル６の近傍には、操縦者の握り操作により操作されるサイドクラッチレバー１１，１１を左右に設けていて、これにより左右の後輪３，３への伝動を個々に遮断するサイドクラッチを操作することができて機体の旋回が容易に行える。更に、後輪３，３への伝動と作業部Ｗへの伝動を遮断する主クラッチを操作する主クラッチ操作レバー１２と、ミッションケース５内の走行伝動部に設けた走行変速装置を、低速前進伝動状態、高速前進伝動状態、後進伝動状態、前後進中立状態に切り替え操作する変速レバー１３も操縦ハンドル６の近傍に配置している。
【００１６】
次に、作業部Ｗについて説明する。
作業部Ｗには、作物体Ｐの茎葉部ＰＬを挟持して引上げ搬送する左右一対の引上げ搬送ベルト１４，１４を緩やかに後上がり傾斜した姿勢に設けた引上げ搬送装置１５と、作物体Ｐの茎葉部ＰＬを切断する切断装置１６を設けている。また、引上げ搬送装置１５は、機体平面視で左右の走行回転体２，２；３，３の間に配置するとともに、機体側面視で機体前部側から機体前後中間部付近にかけて後上がり傾斜姿勢で配置している。切断装置１６は、引上げ搬送装置１５の後部下側に配置している。更に、切断装置１６により切断されて根本側部分Ｐ１から切り離され引上げ搬送装置１５の後端部から排出される葉先側部分Ｐ２を受ける茎葉受け台１７を設け、該茎葉受け台１７の下側に、ミッションケース５の前部から機体前方へ後上がり姿勢で延びる左右のフレーム１９，１９を配置し、該左右のフレーム１９，１９とミッションケース５の下方に、前記切断装置１６により切断されて地面に落下した根本側部分Ｐ１を機体後方に通過可能とする空間部Ｓを有するように構成している。
【００１７】
更に具体的な構成を説明する。ミッションケース５の前部に、左右の作業部伝動ケース１８，１８と、前方に前下がり傾斜で延びる左右２本のフレーム１９，１９の後端部を固着している。そして、引上げ搬送装置１５は、左右一対の上側の駆動プーリー２０，２０と左右一対の下側の従動プーリー２１，２１、左右の引上げ搬送ベルト１４，１４の内側から支持する複数のローラー２２，２２…を左右に設け、これら左右のプーリー及びローラの周りに、それぞれ引上げ搬送装置１５の搬送体となる引上げ搬送ベルト１４，１４を巻き掛け、左右の引上げ搬送ベルト１４，１４の外周面は機体の左右中央部において互いに接当する状態となるようにしている。そして、ミッションケース５内の動力が伝動フレーム１８，１８内の伝動手段を経て、駆動プーリー２０，２０の駆動側回転軸２３，２３に伝動して、左右の引上げ搬送ベルト１４，１４がその左右中央部側で互いに接当する作物体挟持箇所において機体後方側に移動するように周回駆動される構成としている。前記駆動プーリー２０，２０は、前記左右のフレーム１９，１９の左右間に配置し前記第一作業部伝動ケース１８，１８の下部に固着した第二作業部伝動ケース２４，２４から上方に突出させて支持した駆動側回転軸２３，２３に一体回転するように取付け、前記従動プーリー２１，２１は、前記フレーム１９，１９の前端部に固着した取付け部材から上方に突出させて回転自在に支持した従動側回転軸２５，２５に一体回転するように取付け、前記複数のローラー２２，２２…は、前記駆動側回転軸２３，２３と従動側回転軸２５，２５とにわたって装着された支持部材２６，２６に取付けた複数の支持軸に回転自在に取付けている。支持部材２６，２６は、引上げ搬送ベルト１４，１４の上側に配置しているので、引上げ搬送ベルト１４，１４で挟持搬送される作物体Ｐの茎葉部ＰＬに接触しにくくなっている。このため、作物体Ｐが生姜である場合に、引上げ搬送装置１５が茎葉部ＰＬを挟持搬送しているとき左右横方向に広がるように生育する土中の生姜を割ってしまうことが生じにくくなる。すなわち、地中の生姜が左右に広がって生育していて複数本の茎葉部ＰＬが左右に幅広く並んで生育しているとき、引上げ搬送装置１５は左右に林立する複数の茎葉部ＰＬの中間部付近を左右中央側一箇所に集めて挟持することになるが、このとき、複数のローラー２２，２２…を取り付ける支持部材を引上げ搬送ベルト１４，１４の下側に配置していて、複数のローラー２２，２２…を取り付ける支持部材の端部に左右両端側の茎葉部ＰＬが当たると、左右に広がった生姜の左右両端部を左右内側に引っ張る状態となって、これにより左右に広がった生姜を大きく湾曲させて割ってしまうことがある。しかしながら、本例では、複数のローラー２２，２２…を取り付ける支持部材２６，２６を引上げ搬送ベルト１４，１４の上側に配置しているので、このような問題を回避できる。
【００１８】
引上げ搬送装置１５の挟持始端箇所Ａは、左右の引上げ搬送ベルト１４，１４が左右中央側前部でベルト外周面を互いに接触させ始める個所となり、機体の前進走行中に、この挟持始端部に作物体Ｐの茎葉部ＰＬが入り込んでくると、左右の引上げ搬送ベルト１４，１４が作物体Ｐの茎葉部ＰＬを挟んで後側斜め上方に搬送する。引上げ搬送ベルト１４，１４の機体後方水平方向への移動速度は、作業時の機体前進速度（走行変速装置ＶＣを低速前進伝動状態としたときの速度）と略同速度になるように設定しているので、機体が前進走行していても、引上げ搬送装置１５に挟持搬送される作物体Ｐは畝Ｕに対して前後に倒れず略垂直姿勢のままで上方に引上げ作用を受けることになる。引上げ搬送装置１５の挟持終端箇所は、引上げ搬送装置１５の後端部にあって左右の引上げ搬送ベルト１４，１４が左右中央側後部でベルト外周面が互いに離れ始める個所となり、左右の引上げ搬送ベルト１４，１４が挟持搬送した作物体Ｐの茎葉部ＰＬがこの箇所から排出される。
【００１９】
引上げ搬送ベルト１４，１４の左右一方側を他方側に対して離れる方向に移動可能に構成している。具体的には、左右一方側の引上げ搬送ベルト１４を駆動プーリ２０の回転軸２３を軸に支持部材２６の前側を左右方向外側に回動可能に設けている。作業時は引上げ搬送ベルト１４，１４が互いに接当状態となる位置で固定する固定手段を設け、該固定手段の固定を解除することで左右方向外側への回動が可能となる。これにより、引上げ搬送ベルト１４，１４の間に過大な量の茎葉部ＰＬが入り込んで過負荷状態となってエンジン４が停止してしまったときなどに、引上げ搬送ベルト１４，１４の間に詰まった茎葉部ＰＬを容易に取り除くことができる。ところで、図中の１５ａは、引上げ搬送装置１５の上側を覆うカバーである。
【００２０】
左右の前輪２，２は、上下調節可能に設けている。左右の前輪２，２を下方に位置調節すると、引上げ搬送装置１５の前下がり傾斜が大きくなって、作物体引上げ高さＨが増大し、左右の前輪２，２を上方に位置調節すると、引上げ搬送装置１５の前下がり傾斜が小さくなって、作物体引上げ高さＨが小さくなる。従って、左右の前輪２，２の上下調節機構によって引上げ搬送装置１５の作物体引上げ高さＨを設定調節可能となっている。具体的には、左右の前輪２，２は、前記フレーム１９，１９の前端部左右両側部に取り付けた前輪支持軸２７，２７の左右両端部の前輪支持アーム取付け部２８，２８に、上下に延びる前輪支持アーム２９，２９を装着し、その下端部に前輪車軸３０，３０を設け、これに左右の前輪２，２を回転自在に取り付けている。左右の前輪２，２の上下調節機構は、前輪支持アーム取付け部２８，２８に対する前輪支持アーム２９，２９の取付け高さを調節可能とすることで構成している。図例では、取付け穴と取付けピンで構成しているが、他の構成によって実現してもよい。
【００２１】
切断装置１６は、左右一対の円盤状カッターを左右中央部で一部上下に重なるようにして引上げ搬送装置１５の後部下側に設けた構成としている。切断装置１６の左右の円盤状カッターは、ミッションケース５内からの動力を第一作業部伝動ケース１８及び第二作業部伝動ケース２４，２４内の伝動手段を介して円盤状カッターの回転軸３１，３１に伝動して駆動回転している。左右の引上げ搬送ベルト１４，１４によって挟持搬送される作物体Ｐの茎葉部ＰＬは、その挟持搬送終端個所Ｃまで搬送される手前でその挟持搬送通路を遮るように配置された駆動回転する左右の円盤状カッターで切断作用を受けて切断される。左右の円盤状カッターの前側外周が交差する個所に作物体Ｐの茎葉部ＰＬが搬送されるように設定しているので、ここから切断が開始される。そして、引上げ搬送装置１５の挟持始端箇所Ａから切断装置１６が茎葉部ＰＬを切断する時点の引上げ搬送装置１５の挟持箇所Ｂまでの作物体引上げ高さＨを、引上げ搬送装置１５が作用する前で地中に生育していた作物体Ｐの最終収穫物Ｅの最大深さｄより小さくなるように設定している。具体的には、作物体引上げ高さＨを２〜６ｃｍに設定する。
【００２２】
従って、この農作物収穫機は、歩行操縦型の走行装置１によって機体を前進走行させ、引上げ搬送装置１５によって作物体Ｐの茎葉部ＰＬを挟持して引上げ搬送する。このとき土中にある作物体Ｐの最終収穫物Ｅも引上げられ、土中に張った根は引きちぎられる。そして、最終収穫物Ｅの底部が地表面より上方に上昇する前に切断装置１６によって茎葉部ＰＬが切断される。このため、最終収穫物Ｅはその上側に土等が被さった状態のままとなる。切断装置１６により切断された後の作物体Ｐの根本側部分Ｐ１は、左右のフレーム１９，１９及びミッションケース５の下方に形成された空間部Ｓを通って機体後方に通過していく。このような作業を行った後、圃場に残された作物体Ｐの根本側部分Ｐ１は、作業者によって圃場から引き抜かれて最終収穫物Ｅが回収されるが、前記作業によって一度引上げられているので、軽い力で容易且つ迅速に取り上げることができ、また、完全に引き抜かれずに最終収穫物Ｅの上側に土等が被さった状態のままで残されているので、乾燥等による品質低下が生じにくい。一方、切断装置１６によって切断されて根本側部分Ｐ１から切り離された葉先側部分Ｐ２は、引上げ搬送装置１５の後端部から排出され、作業者によって機体側方側に放出される。
【００２３】
なお、左右の前輪２，２の各前方には分草体を配置し（図示省略）、左右に広がって前輪２，２の前方に位置する作物体Ｐの茎葉を掻き分けて、前輪２，２が作物体Ｐを巻き込んだり踏み付けたりしないようにしている。
【００２４】
この農作物収穫作業機は、前記切断装置１６により切断されて根本側部分Ｐ１から切り離された葉先側部分Ｐ２を引上げ搬送装置１５の終端個所Ｃから機体後方に排出する。そして、その排出された葉先側部分Ｐ２の茎葉部を受ける茎葉受け台１７を設けている。本例において、この茎葉受け台１７は、具体的には、引上げ搬送装置１５の挟持搬送終端個所Ｃの下方箇所から機体の左右両外側に向けて広がる板面を有する板体３２で形成している。この茎葉受け台１７は、引上げ搬送装置１５の挟持搬送終端個所Ｃから放出された葉先側部分Ｐ２の茎葉部を下方から支持するように受け、そして、作業者によってその茎葉部を機体側方に引き出されて圃場に（畝両側の谷部に）放出される。従って、切断装置１６により切断されて葉先側部分Ｐ２から切り離された根本側部分Ｐ１は、畝Ｕ上のもともと生育していた箇所に残され、一方、葉先側部分Ｐ２は、引上げ搬送装置１５の挟持搬送終端個所Ｃまで搬送されて茎葉受け台１７に受けられ、その後、作業者によって畝Ｕの側方箇所に放出されて落下し、根本側部分Ｐ１の上に被さってしまうことがない。よって、引上げ作業後に根本側部分Ｐ１を収集する際、切断された葉先側部分Ｐ２によって根本側部分Ｐ１が隠れてしまうことがなく、収集漏れがなく適確に農作物の収集作業が行える。なお、茎葉受け台１７の後側に、第一作業部伝動ケース１８、ミッションケース５、エンジン４の上側を覆うカバー部３３を形成している。
【００２５】
また、この農作物収穫作業機は、機体後部にエンジン４を配置し、該エンジン４の前側にミッションケース５を配置し、該ミッションケース５の前部に機体前方へ後上がり姿勢で延びる左右のフレーム１９，１９を固着し、該フレーム１９，１９の上側に前記引上げ搬送装置１５を配置し、前記ミッションケース５の左右両側部に走行回転体３，３を駆動する動力を伝動する伝動部材を内装しミッションケース５の底部より下側に延設される伝動ケース７，７を介して左右の後輪３，３を装着した構成としている。また、茎葉受け台１７は、左右のフレーム１９，１９の上側に配置している。これにより、畝Ｕを跨いで走行する機体の左右のフレーム１９，１９とミッションケース５の下方に、切断装置１６により切断され畝Ｕに残される根本側部分Ｐ１を機体後方に通過可能とする空間部Ｓを機体底部に充分に確保することができる。従って、機体がコンパクトに構成されるものでありながら、畝Ｕ上に着地した根本側部分Ｐ１を、大きく倒したり引きずったりせずに機体後方に通過させられ、しかも、切断された葉先側部分Ｐ２が根本側部分Ｐ１の上に落下することも防止される。
【００２６】
本例の農作物収穫作業機は、引上げ搬送装置１５の挟持始端部に作物体Ｐの茎葉部ＰＬを掻集める茎葉掻集め装置３４を引上げ搬送装置１５の前側に設けている。この茎葉掻集め装置３４は、左右のフレーム１９，１９の各前端部に固着した左右の支持部材３５，３５にそれぞれ取付けた左右の支持フレーム３６，３６の前部と後部とに、それぞれ前側プーリー３７，３７と後側プーリー３８，３８とを軸着し、左右ぞれぞれの前側プーリー３７，３７と後側プーリー３８，３８とに、外周側に突出するラグ３９ａ…を多数有する掻集めベルト３９，３９を巻き掛け、更に、後側プーリー３８，３８の回転軸は、引上げ搬送装置１５の従動プーリー２１，２１と一体回転する回転軸２５，２５の上部に自在継ぎ手を介して連結して構成している。この茎葉掻集め装置３４は、左右の掻集めベルト３９，３９の前側が、左右外側に広がり且つ下位に位置するように傾斜した姿勢で配置している。これにより、掻集めベルト３９，３９は、左右に広がった作物体Ｐの茎葉部ＰＬを引上げ搬送装置１５の挟持始端部に向けて葉を持上げるようにしながら掻集めるように作用する。なお、掻集めベルト３９，３９の周回速度は、その機体後方の分速度が機体の前進速度と略同じ大きさから若干早い速度になるように設定して、掻集めベルト３９，３９が作物体Ｐを前方に押し倒さないようにしている。
【００２７】
また、茎葉掻き集め装置３４を駆動する後側プーリー３８，３８は、引上げ搬送装置１５の従動プーリー２１，２１の上側に設けているので、作物体Ｐが生姜である場合に、引上げ搬送装置１５が茎葉部ＰＬを挟持するとき横側にのびて生育する生姜を割ってしまうことが生じにくくなる。すなわち、地中の生姜が左右に広がって生育していて複数本の茎葉部ＰＬが左右に幅広く並んで生育しているとき、引上げ搬送装置１５は左右に林立する複数の茎葉部ＰＬの中間部付近を左右中央側一箇所に集めて挟持することになるが、このとき、茎葉掻き集め装置を駆動する後側プーリーが引上げ搬送装置１５の従動プーリー２１，２１の下側に設けられていて該後側プーリーが大きく下方に突出していると、その突出部に左右両端側の茎葉部ＰＬが当たると左右に広がった生姜の左右両端部を左右内側に引っ張る状態となって、これにより左右に広がった生姜を大きく湾曲させて割ってしまうことがあり、或いはまた、後側プーリーの下側突出部との当たり箇所を通過して逆に左右両端側の茎葉部ＰＬが大きくたるみ、このため、左右に広がった生姜の左右端側が引上げ搬送装置１５で挟持された茎葉部で引っ張り上げられず、左右中央側箇所だけで引っ張り上げられる状態が生じ、このため左右に広がった生姜が前記とは逆に大きく湾曲して割れてしまうことがある。しかしながら、本例では、茎葉掻き集め装置３４を駆動する後側プーリー３８，３８は、引上げ搬送装置１５の従動プーリー２１，２１の上側に設けているので、このような問題を回避できる。
【００２８】
また、本例の農作物収穫作業機は、引上げ搬送装置１５の挟持搬送終端個所Ｃから機体後方に排出される茎葉部ＰＬを機体後方に掻き出す掻き出し装置４０を設けている。これにより、引上げ搬送装置１５の挟持搬送終端個所Ｃから機体後方に排出される茎葉部ＰＬを挟持搬送終端個所Ｃで停滞することがなく、切断された茎葉部ＰＬ（葉先側部分ＰＬ２）の作業者による放出作業が迅速且つ適確に行なえるようになる。本例では、掻き出し装置４０を、左右に設けた回転ドラム４１，４１で構成している。左右の回転ドラム４１，４１は、引上げ搬送装置１５の駆動プーリー２０，２０の回転軸２３，２３の上部に該回転軸２３，２３と一体回転する延長回転軸４２，４２に一体回転するように取付けていて、簡略な駆動構成となっている。また、回転ドラム４１，４１の径は引上げ搬送装置１５の駆動プーリー２０，２０の径より大きく設けているので、引上げ搬送装置１５の挟持搬送速度より回転ドラム４１，４１の周速度が速くなり、これにより、引上げ搬送装置１５の挟持搬送終端個所Ｃから茎葉部ＰＬが多量に排出されても挟持搬送終端個所Ｃで停滞させることなく良好に掻き出すことができる。更に、ドラム外周面はスポンジ等の弾性材で被っているので、茎葉部ＰＬをスリップなく良好に掻き出すことができる。また、左右の回転ドラム４１，４１の左右間隔が最も狭くなる個所、或は、互いに接当する個所を、引上げ搬送装置１５の挟持搬送終端個所Ｃより後側に位置するように設けたので、引上げ搬送装置１５の挟持搬送終端個所Ｃから排出された後で左右の回転ドラム４１，４１が茎葉部ＰＬに対して掻き出し作用するので、茎葉部ＰＬの掻き出しが適確に行える。
【００２９】
従って、本願発明の農作物収穫作業機は、歩行操縦型の走行装置１と、作物体Ｐの茎葉部ＰＬを挟持して引上げ搬送する引上げ搬送装置１５とを設け、前記引上げ搬送装置１５の後部下側に作物体Ｐの茎葉部ＰＬを切断する切断装置１６を設け、前記引上げ搬送装置１５の挟持始端箇所Ａから前記切断装置１６が茎葉部ＰＬを切断する時点の前記引上げ搬送装置１５の挟持箇所Ｂまでの作物体引上げ高さＨを、前記引上げ搬送装置１５が作用する前で地中に生育していた作物体Ｐの最終収穫物Ｅの最大深さｄより小さく設定したものである。また、前記作物体引上げ高さＨを２〜６ｃｍに設定したものである。
【００３０】
更に、前記歩行操縦型の走行装置１は、左右両側に走行回転体２，２；３，３を備えるとともに後側にエンジン４とミッションケース５と歩行操縦用の操縦ハンドル６を備え、前記引上げ搬送装置１５は、作物体Ｐの茎葉部ＰＬを挟持して引上げ搬送する左右一対の引上げ搬送ベルト１４，１４を後上がり傾斜姿勢で設けたものである。
【００３１】
また、前記引上げ搬送装置１５の引上げ搬送ベルト１４，１４は、機体平面視で左右の走行回転体２，２；３，３の間に配置するとともに、機体側面視で機体前部側から機体前後中間部付近にかけて後上がり傾斜姿勢で配置したものである。
【００３２】
そして、また、機体後部にエンジン４を配置し、該エンジン４の前側にミッションケース５を配置し、該ミッションケース５の前部に機体前方へ後上がり姿勢で延びる左右のフレーム１９，１９を固着し、該フレーム１９，１９の上側に前記引上げ搬送装置１５を配置し、前記ミッションケース５の左右両側部に走行回転体３，３を駆動する動力を伝動する伝動部材を内装しミッションケース５の底部より下側に延設される伝動ケースを介して走行回転体３，３を装着したものである。
【００３３】
また、この農作物収穫作業機を用いることで、駆動回転される引上げ搬送装置１５によって作物体Ｐの茎葉部ＰＬを挟持して引上げ、地中に生育していた作物体Ｐの最終収穫物Ｅの底部が地表面より上方に上昇する前に切断装置１６によって茎葉部ＰＬを切断するという農作物収穫作業方法をとることができる。
【００３４】
従って、この農作物収穫機は、歩行操縦型の走行装置１によって機体を前進走行させ、引上げ搬送装置１５によって作物体Ｐの茎葉部ＰＬを挟持して引上げ搬送する。設定された引上げ高さは２〜６ｃｍである。このとき土中にある作物体Ｐの最終収穫物Ｅも引上げられ、土中に張った根は引きちぎられる。そして、最終収穫物Ｅの底部が地表面より上方に上昇する前に切断装置１６によって茎葉部ＰＬが切断される。このため、最終収穫物Ｅはその上側に土等が被さった状態のままとなる。切断装置１６により切断された後の作物体Ｐの根本側部分Ｐ１は、左右のフレーム１９，１９及びミッションケース５の下方に形成された空間部Ｓを通って機体後方に通過していく。このような作業を行った後、圃場に残された作物体Ｐの根本側部分Ｐ１は、作業者によって圃場から引き抜かれて最終収穫物Ｅが回収されるが、前記作業によって一度引上げられているので、軽い力で容易且つ迅速に取り上げることができ、また、完全に引き抜かれずに最終収穫物Ｅの上側に土等が被さった状態のままで残されているので、乾燥等による品質低下が生じにくい。一方、切断装置１６によって切断されて根本側部分Ｐ１から切り離された葉先側部分Ｐ２は、引上げ搬送装置１５の後端部から排出され、作業者によって機体側方側に放出される。よって、生姜等の農作物の収穫作業の省力化が図れ、且つ、収穫作業後の品質低下をできるだけ回避できるものとなる。また、引上げ搬送装置を前後に短くできて、簡易でコンパクトな構成で、機体操縦性が良好な農作物収穫作業機を得ることができる。
【図面の簡単な説明】
【００３５】
【図１】農作物収穫機の側面図。
【図２】農作物収穫機の平面図。
【図３】農作物収穫機の断面正面図。
【符号の説明】
【００３６】
１：走行装置
２，２：前輪（走行回転体）
３，３：後輪（走行回転体）
４：エンジン
５：ミッションケース
６：操縦ハンドル
１４，１４：引上げ搬送ベルト
１５：引上げ搬送装置
１６：切断装置
１７：茎葉受け台
１９，１９：フレーム
Ａ：引上げ搬送装置の挟持始端箇所
Ｂ：切断装置が茎葉部を切断する時点の引上げ搬送装置の挟持箇所
Ｈ：作物体引上げ高さ
Ｓ：空間部
Ｐ：作物体
ＰＬ：作物体の茎葉部
Ｐ１：作物体の根本側部分
Ｐ２：作物体の葉先側部分
Ｅ：最終収穫物
ｄ：収穫作業前に土中にある最終収穫物の最大深さ
【図１】
2005095093.tif 000003
【図２】
2005095093.tif 000004
【図３】
2005095093.tif 000005